【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
基板に形成されるスルーホールに挿入して、該スルーホールに対する電気的接続を行うプレスフィット端子であって、
前記スルーホールの内径よりも小さい径でなる端子本体と、
前記端子本体の表面から外方向に突設するように少なくとも３つの突起部とを備え、
前記端子本体に設けられた前記突起部は、前記端子本体の挿入方向に対して交差する方向に間隔をあけて設けられ、
前記突起部は、前記端子本体を前記スルーホールに挿入した状態で、前記スルーホールの内壁面に圧接する形状に形成されてなることを特徴とするプレスフィット端子。
【請求項２】
基板に形成されるスルーホールに挿入して、該スルーホールに対する電気的接続を行うプレスフィット端子であって、
前記スルーホールに挿入可能な略板状の形状を有する端子本体と、
前記端子本体の厚さ方向のそれぞれの表面から外方向に突設した突起部とを備え、
前記端子本体の少なくとも一方の表面に設けられた突起部は、前記端子本体の幅方向に互いに間隔をあけて複数設けられ、
前記突起部は、前記端子本体を前記スルーホールに挿入した状態で、前記スルーホールの内壁面に圧接する形状に形成されてなることを特徴とするプレスフィット端子。
【請求項３】
前記端子本体の一方の表面に設けられた突起部は、前記端子本体を挟んで、他方の表面に設けられた突起部間の空隙に対向する部位に設けられることを特徴とする請求項２記載のプレスフィット端子。
【請求項４】
前記突起部は、前記端子本体の幅方向の表面にも設けられることを特徴とする請求項２または３記載のプレスフィット端子。
【請求項５】
基板に形成されるスルーホールに挿入して、該スルーホールに対する電気的接続を行うプレスフィット端子であって、
電気導通する端子本体と、
前記端子本体の先端付近が分岐して形成される複数の分岐部とを備え、
前記分岐部のそれぞれは、プレスフィット形状を有し、前記スルーホールのそれぞれに挿入した状態で、前記スルーホールの内壁面に圧接する形状に形成されてなることを特徴とするプレスフィット端子。
【請求項６】
基板に形成されるスルーホールと該スルーホールに対する電気的接続を行うプレスフィット端子とを接続する接続構造であって、
前記基板は、
複数の前記スルーホールが共通のランドで相互に電気的に接続される状態で設けられ、
前記プレスフィット端子は、
電気導通する端子本体と、
前記端子本体の先端付近が複数の前記スルーホールのそれぞれに挿入可能なように分岐して形成される複数の分岐部とを備え、
前記分岐部のそれぞれは、プレスフィット形状を有し、複数の前記スルーホールのそれぞれに挿入した状態で、前記スルーホールの内壁面に圧接することを特徴とする接続構造。
【請求項７】
基板に形成されるスルーホールに挿入して、該スルーホールに対する電気的接続を行うプレスフィット端子であって、
端子本体と、
前記端子本体の表面から外方向に突設する複数の突起部とを備え、
少なくとも１つの前記突起部が、前記端子本体を前記スルーホールに挿入した状態で、前記スルーホールの内壁面に面接触する形状に形成されてなることを特徴とするプレスフィット端子。
【請求項８】
基板に形成されるスルーホールと該スルーホールに対する電気的接続を行うプレスフィット端子とを接続する接続構造であって、
前記プレスフィット端子は端子本体と前記端子本体の表面から外方に突出する複数の突起部とを備え、
前記プレスフィット端子を前記スルーホールに挿入した状態で、前記スルーホールの内壁面と少なくとも１つの前記突起部とが面接触することを特徴とする接続構造。
【請求項９】
基板に形成されるスルーホールに対する電気的接続を行うプレスフィット端子を有するコネクタであって、
前記プレスフィット端子は、端子本体と複数のスルーホールに挿入可能なように分岐して形成される分岐部と前記分岐部の表面から外方向に突出する突起部とを備え、前記突起部が、前記プレフィット端子を前記スルーホールに挿入した状態で、前記スルーホールの内壁面に圧接する形状に形成されてなることを特徴とするコネクタ。
【請求項１０】
複数のスルーホールを有する基板と前記スルーホールに対する電気的接続を行うプレスフィット端子を有するコネクタとを備える電子制御装置であって、
前記プレスフィット端子は、
端子本体と、
複数のスルーホールに挿入可能なように分岐して形成される分岐部と、
前記分岐部の表面から外方に突出する突起部とを備え、前記突起部が、前記端子を前記スルーホールに挿入した状態で、前記スルーホールの内壁面に圧接する形状に形成されてなることを特徴とする電子制御装置。
【手続補正２】
【補正対象書類名】明細書
【補正対象項目名】発明の名称
【補正方法】変更
【補正の内容】
【発明の名称】プレスフィット端子、接続構造、コネクタおよび電子制御装置
【手続補正３】
【補正対象書類名】明細書
【補正対象項目名】０００１
【補正方法】変更
【補正の内容】
【０００１】
本発明は、プリント配線基板などに、コネクタ等の接続端子をはんだ無しで接合するプレスフィット端子、接続構造、コネクタおよび電子制御装置に関する。
【手続補正４】
【補正対象書類名】明細書
【補正対象項目名】０００９
【補正方法】変更
【補正の内容】
【０００９】
前述のように、図７に示すようなプレスフィット端子１を使用するプレスフィットコネクタなどが車載の電子制御装置である制御コンピュータなどに採用が進められている。内燃機関を利用する自動車でも、各種の電子的な制御が行われ、制御コンピュータは多く使用される。さらに、内燃機関を効率の良い状態で運転して、発電も平行して行い、余剰の電力は蓄電しておいて、内燃機関と電力モータとを併用して駆動力を得るハイブリッド方式も実用化され、大電力制御が必要になってきている。さらに、燃料電池で発電して電力モータで駆動力を得る方式を実用化するためにも、大電力制御は必要である。大電力制御が必要であっても、外部との接続用などに用いるコネクタには、鉛フリー化や製品の低コスト化も必要であり、プレスフィットコネクタを使用することが要望される。
【手続補正５】
【補正対象書類名】明細書
【補正対象項目名】００１１
【補正方法】変更
【補正の内容】
【００１１】
スルーホール３の断面形状を円形から変えても、突起部６が内壁面部５に圧接されるのは、コーナ部８のみであり、図７（ｂ）と同様に最大限で４箇所である。したがって、プレスフィット端子１自体の電流容量を大きくしても、圧接部での電流容量を増大させることはできない。しかもスルーホール３の断面形状が円形でなくなると、たとえば複数の円形の貫通孔を連続して穿孔した後で仕上げ加工を施すなどの必要が生じ、寸法精度なども悪くなってしまうので、図７（ｂ）に示すように４箇所のコーナ部８で圧接を行うことが困難になる。各突起部６が２つではなく、１つのコーナ部８でしかスルーホール３の内壁面部５と圧接部を形成しなくなると、電気的な接触抵抗が増大してしまう。プレスフィット端子１の断面形状を大きくして電流容量を増大させようとしても、接触抵抗が大きくなれば、接触抵抗による制約で、電流容量を増大させることができなくなり、大電力制御を行うことができない。
【手続補正６】
【補正対象書類名】明細書
【補正対象項目名】００１３
【補正方法】変更
【補正の内容】
【００１３】
本発明の目的は、電流容量を増大させて、スルーホールとの接触抵抗を減少させることが可能なプレスフィット端子、接続構造、コネクタおよび電子制御装置を提供することである。
【手続補正７】
【補正対象書類名】明細書
【補正対象項目名】００１９
【補正方法】変更
【補正の内容】
【００１９】
さらに本発明は、基板に形成されるスルーホールと該スルーホールに対する電気的接続を行うプレスフィット端子とを接続する接続構造であって、
前記基板は、
複数の前記スルーホールが共通のランドで相互に電気的に接続される状態で設けられ、
前記プレスフィット端子は、
電気導通する端子本体と、
前記端子本体の先端付近が複数の前記スルーホールのそれぞれに挿入可能なように分岐して形成される複数の分岐部とを備え、
前記分岐部のそれぞれは、プレスフィット形状を有し、複数の前記スルーホールのそれぞれに挿入した状態で、前記スルーホールの内壁面に圧接することを特徴とする接続構造である。
さらに本発明は、基板に形成されるスルーホールに挿入して、該スルーホールに対する電気的接続を行うプレスフィット端子であって、
端子本体と、
前記端子本体の表面から外方向に突設する複数の突起部とを備え、
少なくとも１つの前記突起部が、前記端子本体を前記スルーホールに挿入した状態で、前記スルーホールの内壁面に面接触する形状に形成されてなることを特徴とするプレスフィット端子である。
さらに本発明は、基板に形成されるスルーホールと該スルーホールに対する電気的接続を行うプレスフィット端子とを接続する接続構造であって、
前記プレスフィット端子は端子本体と前記端子本体の表面から外方に突出する複数の突起部とを備え、
前記プレスフィット端子を前記スルーホールに挿入した状態で、前記スルーホールの内壁面と少なくとも１つの前記突起部とが面接触することを特徴とする接続構造である。
さらに本発明は、基板に形成されるスルーホールに対する電気的接続を行うプレスフィット端子を有するコネクタであって、
前記プレスフィット端子は、端子本体と複数のスルーホールに挿入可能なように分岐して形成される分岐部と前記分岐部の表面から外方向に突出する突起部とを備え、前記突起部が、前記プレフィット端子を前記スルーホールに挿入した状態で、前記スルーホールの内壁面に圧接する形状に形成されてなることを特徴とするコネクタである。
さらに本発明は、複数のスルーホールを有する基板と前記スルーホールに対する電気的接続を行うプレスフィット端子を有するコネクタとを備える電子制御装置であって、
前記プレスフィット端子は、
端子本体と、
複数のスルーホールに挿入可能なように分岐して形成される分岐部と、
前記分岐部の表面から外方に突出する突起部とを備え、前記突起部が、前記端子を前記スルーホールに挿入した状態で、前記スルーホールの内壁面に圧接する形状に形成されてなることを特徴とする電子制御装置である。
【手続補正８】
【補正対象書類名】明細書
【補正対象項目名】００３９
【補正方法】変更
【補正の内容】
【００３９】
図４は、図１および図２に示すプレスフィット端子１１，３１の突起部１３を形成するためのプレス型の概略的な構成を示す。プレスフィット端子１１，３１は、前述のような銅合金などの素材６０から順送方式のプレス加工で打抜いて形成することができる。プレス加工は、複数の工程に分け、プレス機の１ストローク毎に順次工程を進めるように連続して行われる。その工程の一つで、上型６１に設けられる凸部６２および凹部６３と、下型６４に設けられる凸部６５および凹部６６で素材６０を挟み、素材６０の厚み方向に突出する突起部１３を形成することができる。突起部１３を交互に形成するためには、上型６１の凸部６２と下型６４の凹部６６とを対向させ、上型６１の凹部６３と下型６４の凸部６５とを対向させればよい。
【手続補正９】
【補正対象書類名】明細書
【補正対象項目名】００４２
【補正方法】変更
【補正の内容】
【００４２】
図６は、実施の各形態によるプレスフィット端子１１，３１，４１と同様なプレスフィット端子形状を利用する中継用コネクタ８０の概略的な構成を示す。中継用コネクタ８０は、両端にプレスフィット端子１１，３１，４１のいずれかと同様な形状を有する中継端子８１が複数個と、その複数の中継端子８１を間隔をあけて保持するインシュレータ８２とを含む。インシュレータ８２は、対向する基板８３，８４間で中継端子８１による電気的な中継が可能なように、両基板８３，８４および中継端子８１を電気的に絶縁する状態で保持する。各中継端子８１の両端を、基板８３，８４に設けるスルーホール８５にそれぞれ挿入するだけで、基板８３，８４間の電気的接続を完了させることができる。